(57)【要約】【課題】芝刈り作業中に機体の走行速度の調整が困難である点を解決することで、芝刈り作業中の走行速度の調整の操作性の改善を図ることを可能にする。【解決手段】機体（ハウジング）１１に動力源（エンジン）１４を設け、機体１１から後方にハンドル１７を延出し、このハンドル１７の先端部に機体１１の走行を可能にする操作レバー（走行・変速レバー）４２をスイング自在に取付け、この操作レバー４２をハンドル１７側に倒したときに機体１１の走行を可能状態にする芝刈機において、操作レバー４２に、機体１１の走行速度を変化させる走行速度可変機能を付加した。【選択図】図８
2007196850.tif 000002
【特許請求の範囲】
【請求項１】
機体に動力源を設け、機体から後方にハンドルを延出し、このハンドルの先端部に機体の走行を可能状態にする操作レバーをスイング自在に取付け、この操作レバーをハンドル側に倒したときに機体の走行を可能状態にする芝刈機において、
前記操作レバーに、前記機体の走行速度を変化させる走行速度可変機能を付加したことを特徴とする芝刈機。
【請求項２】
前記操作レバーは、初期状態では前記動力源の動力を非伝達に設定し、前記操作レバーを所定の角度倒したときに前記動力源の動力の伝達を開始し、この状態からさらに倒したときに徐々に走行速度を上げるものであることを特徴とする請求項１記載の芝刈機。
【請求項３】
前記操作レバーのスイングできる角度を許容レバー角とするときに、
前記操作レバーは、前記許容レバー角の途中で走行速度を最大に設定するものであり、前記操作レバーに、残りの許容レバー角に遊びを持たす緩衝部材を備えたことを特徴とする請求項１又は請求項２記載の芝刈機。
【請求項４】
前記ハンドルは、平面視で前記先端部を機体幅方向に略Ｕ字状に形成したものであり、前記操作レバーに、前記先端部の形状に沿わせた所定の長さの水平部を備えたことを特徴とする請求項１、請求項２又は請求項３記載の芝刈機。
【発明の詳細な説明】
【技術分野】
【０００１】
本発明は、芝刈り作業中に機体の走行速度の調整をすることができる自走式で歩行型の芝刈機に関するものである。
【背景技術】
【０００２】
芝刈機として、カッタブレードを回転させる作業用レバーと、機体の走行を可能にする操作レバー（走行クラッチレバー）と、機体の走行速度を変化させる速度変速レバーと、を備えたものが実用に供されている。
実用の芝刈機は、ハンドルなどに、上記の作業用レバー、操作レバー及び速度変速レバーを個々に設けるようにすれば実用上十分であった。
【０００３】
このような芝刈機として、ハンドルに機体の走行速度を変化させる速度変速部材（速度変速レバー）を備えたものが知られている（例えば、特許文献１参照。）。
【特許文献１】特開平５−１７６０号公報（第５−７頁、図２−４）
【０００４】
特許文献１の技術を説明する。
図９は従来の基本構成を説明する側面図であり、図１０は従来の基本構成の要部を説明する斜視図である。
従来の芝刈機２１０は、機体２１１の後方に平面視略Ｕ字状のハンドル（固定ハンドル）２１２を延ばし、ハンドル２１２の先端部に回転自在にグリップ２１３を設け、機体２１１に走行速度を変化させる変速装置（油圧無段変速装置）２１４を設け、この変速装置２１４から操作ケーブル２１５を延出し、この操作ケーブル２１５の先端をグリップに接続したものであって、このグリップ２１３を回転させる（ひねる）ことで、機体２１１の走行速度を調節するようにしたものである。
【０００５】
しかし、芝刈機２１０では、ハンドル（固定ハンドル）２１２の先端部に回転自在にグリップ２１３を設け、このグリップ２１３をハンドル２１２を握った状態で手首をひねるという操作をすることで、機体２１１の走行速度を調節するようにしたものである。ハンドル２１２を握った状態で手首をひねるという操作は、芝刈り作業中に行う操作としては困難であると思われる。
すなわち、芝刈機２１０では、走行速度の調整を円滑に操作することができないという問題があった。
【０００６】
そこで、芝刈り作業中に機体の走行速度の調整を容易に行うことができる芝刈機が望まれる。
【発明の開示】
【発明が解決しようとする課題】
【０００７】
本発明は、芝刈り作業中に機体の走行速度の調整が困難である点を解決し、芝刈り作業中の走行速度の調整の操作性の改善を図ることができる芝刈機を提供することを課題とする。
【課題を解決するための手段】
【０００８】
請求項１に係る発明は、機体に動力源を設け、機体から後方にハンドルを延出し、このハンドルの先端部に機体の走行を可能にする操作レバーをスイング自在に取付け、この操作レバーをハンドル側に倒したときに機体の走行を可能状態にする芝刈機において、操作レバーに、機体の走行速度を変化させる走行速度可変機能を付加したことを特徴とする。
【０００９】
例えば、芝刈り作業中に機体の走行速度の調整を容易に行うことができるとすれば、芝刈機の操作性の改善を図ることができるので好ましいことである。
【００１０】
そこで、操作レバーに、機体の走行速度を変化させる走行速度可変機能を付加することで、操作レバーで機体の走行速度を調整するようにした。
【００１１】
すなわち、操作レバーに、機体の走行速度を変化させる走行速度可変機能を付加することで、操作レバーで機体の走行速度を調整することができる。これにより、機体の走行を可能状態にする操作と、走行速度の調整を連続的に行うことができる。この結果、芝刈機の操作性の向上を図ることができるという利点がある。
【００１２】
請求項２に係る発明は、操作レバーが、初期状態では動力源の動力を非伝達に設定し、操作レバーを所定の角度倒したときに動力源の動力の伝達を開始し、この状態からさらに倒したときに徐々に走行速度を上げるものであることを特徴とする。
操作レバーを、初期状態では動力源の動力を非伝達に設定し、操作レバーを所定の角度倒したときに動力源の動力の伝達を開始し、この状態からさらに倒したときに徐々に走行速度を上げるようにすることで、機体を円滑に操作することができる。
【００１３】
請求項３に係る発明は、操作レバーのスイングできる角度を許容レバー角とするときに、操作レバーが、許容レバー角の途中で走行速度を最大に設定するものであり、操作レバーに、残りの許容レバー角に遊びを持たす緩衝部材を備えたことを特徴とする。
操作レバーのスイングできる角度を許容レバー角とするときに、操作レバーが、許容レバー角の途中で走行速度を最大に設定するものであり、操作レバーに、残りの許容レバー角に遊びを持たす緩衝部材を備えることで、機体の走行速度を最大で芝刈り作業を進めるときには、ハンドルと走行レバーとを一つにして握ることができる。この結果、芝刈機のさらなる操作性の向上を図ることができるという利点がある。
【００１４】
請求項４に係る発明は、ハンドルが、平面視で先端部を機体幅方向に略Ｕ字状に形成したものであり、操作レバーに、先端部の形状に沿わせた所定の長さの水平部を備えたことを特徴とする。
ハンドルが、平面視で先端部を機体幅方向に略Ｕ字状に形成したものであり、操作レバーに、先端部の形状に沿わせた所定の長さの水平部を備えることで、操作レバーの握り方の自由度を拡げることができる。この結果、芝刈機の操作性の向上を図ることができるという利点がある。
【発明の効果】
【００１５】
請求項１に係る発明では、操作レバーに、機体の走行速度を変化させる走行速度可変機能を付加したので、操作レバーで機体の走行速度を調整することができる。これにより、機体の走行を可能状態にする操作と、走行速度の調整を連続的に行うことができる。この結果、芝刈機の操作性の向上を図ることができるという利点がある。
【００１６】
請求項２に係る発明では、操作レバーを、初期状態では動力源の動力を非伝達に設定し、操作レバーを所定の角度倒したときに動力源の動力の伝達を開始し、この状態からさらに倒したときに徐々に走行速度を上げるようにしたので、機体を円滑に操作することができるという利点がある。
【００１７】
請求項３に係る発明では、操作レバーのスイングできる角度を許容レバー角とするときに、操作レバーが、許容レバー角の途中で走行速度を最大に設定するものであり、操作レバーに、残りの許容レバー角に遊びを持たす緩衝部材を備えたので、機体の走行速度を最大で芝刈り作業を進めるときには、ハンドルと走行レバーとを一つにして握ることができる。この結果、芝刈機のさらなる操作性の向上を図ることができるという利点がある。
【００１８】
請求項４に係る発明では、ハンドルが、平面視で先端部を機体幅方向に略Ｕ字状に形成したものであり、操作レバーに、先端部の形状に沿わせた所定の長さの水平部を備えたので、操作レバーの握り方の自由度を拡げることができる。この結果、芝刈機の操作性の向上を図ることができるという利点がある。
【発明を実施するための最良の形態】
【００１９】
本発明を実施するための最良の形態を添付図に基づいて以下に説明する。なお、図面は符号の向きに見るものとする。
図１は本発明に係る芝刈機の側面図であり、図２は本発明に係る芝刈機の平面図である。
芝刈機としての歩行型芝刈機１０は、下開放の機体としてのハウジング１１の前後端にそれぞれ左右の前輪１２および左右の後輪（駆動輪）１３を備え、ハウジング１１の上部に動力源としてのエンジン１４を搭載し、ハウジング１１の内部にカッタブレード（カッタ）１５を備え、ハウジング１１の後方に芝を収容するグラスバッグ（芝収容バッグ）１６を備え、ハウジング１１から後上方に向けてハンドル１７を延ばし、ハンドル１７の後端部にメインスイッチ６４、作業用クラッチレバー４１や操作レバーとしての走行・変速レバー４２などの操作部１８を備えたものである。
２８はハウジング（機体）１１から芝収容バッグ１６を取外したときに機体１１の後方を覆うディスチャージガード（グラスカバー）である。
【００２０】
エンジン１４は、下端部から下方へ出力軸１９を延ばし、出力軸１９の下端部に作業用ブレーキ／クラッチ部２１を介してカッタ（刈刃）１５を取り付けた動力源である。
さらに、エンジン１４は、出力軸１９を伝動機構２２を介して油圧無段変速装置（以下、変速装置と略記する）２５の入力側に連結したものである。変速装置２５の出力軸は車軸２６を介して後輪１３に連結されている。
【００２１】
さらに、エンジン１４は、始動のためのリコイルスタータ８１を備えるとともに、エンジン１４の外部を覆うエンジンカバー２９を備える。８１ａはリコイルスタータ８１のノブを示す。
【００２２】
変速装置２５は、図示しない変速斜板がケースに内蔵され、この変速斜板に変速用アーム２５ａが連結され、この変速用アーム２５ａに走行・変速用ケーブル２７が連結されている。走行・変速用ケーブル２７で変速用アーム２５ａを操作することで、変速斜板の傾きを変える。変速斜板の傾きを変えることで、ケースに内蔵されたピストンポンプのストロークを変え、オイルの吐出量を変える。オイルの吐出量を変えることで、ケースに内蔵されたモータの回転数を変え、後輪１３の回転数を変える。
すなわち、変速装置２５は、後輪１３の回転数を零（停止）から高速回転域まで無段階に変速するものである。
【００２３】
具体的には、走行・変速用ケーブル２７を牽引することで、変速装置２５の変速斜板の傾きを大きくする。変速斜板の傾きを大きくすることで、ケースに内蔵されたピストンポンプのストロークを大きくする。これにより、オイルの吐出量を増やして歩行型芝刈機１０の走行速度を上げる。
【００２４】
一方、走行・変速用ケーブル２７の牽引力を解除することで、変速装置２５の変速斜板の傾きを小さくする。変速斜板の傾きを小さくすることで、ケースに内蔵されたピストンポンプのストロークを小さくする。これにより、オイルの吐出量を減らして歩行型芝刈機１０の走行速度を下げる。
さらに、変速装置２５の変速斜板の傾きを零にすることで、歩行型芝刈機１０を停止させる。
【００２５】
ハンドル１７は、ハウジング１１から後上方に向けて左右のハンドルバー３１，３２と、左右のハンドルバー３１，３２に架け渡した門型の先端部としてのグリップ部３３を備える。
左ハンドルバー３１の後端部３１ａに左取付ブラケット３８を取り付けるとともに、右ハンドルバー３２の後端部３２ａに右取付ブラケット３９を取り付ける。
左右の取付ブラケット３８，３９に作業用クラッチレバー４１および走行・変速レバー（操作レバー）４２が揺動自在に取り付けられている。
【００２６】
作業用クラッチレバー４１は、カッタ１５を停止させるときにカッタ１５にブレーキを掛ける操作を同時に行うレバーであり、ブレーキ／クラッチ部（ブレード・ブレーキ・クラッチ；ＢＢＣ）２１を操作するＢＢＣ用操作レバーと呼ぶこともある。また、作業用クラッチレバー４１は、押して操作をしない限り、ブレーキ／クラッチ部２１をブレーキＯＮ／クラッチＯＦＦ状態からブレーキＯＦＦ／クラッチＯＮ状態に移行させることを禁止するロックノブ４３を備える。
【００２７】
走行・変速レバー４２は、走行・変速用ケーブル２７の先端を接続することで、芝刈機１０の走行を停止するとともに、ハンドル１７側に倒したときには変速操作を可能にするレバーである。また、走行・変速レバー４２は、レバーに遊びを持たす緩衝部材４９を備える。
【００２８】
言い換えれば、歩行型作業機１０は、エンジン１４でカッタ１５を回転させ、このカッタ１５で芝草面を刈り、刈った芝草（刈草）をハウジング１１から搬送風とともに芝収容バッグ（グラスバッグ）１６に搬送し、この芝収容バッグ１６に芝草を収集する芝刈機であるとともに、エンジン１４の回転を後輪１３，１３に伝達し、エンジン１４で後輪１３，１３を駆動するようにした自走式の芝刈機でもある。
【００２９】
図３は本発明に係る歩行型芝刈機の模式的系統図である。
エンジン１４は、エンジン１４を始動するリコイルスタータ８１、燃料を点火する点火装置８２、エンジン１４の回転で発電する発電機８７、およびエンジン回転数を調整する電子式ガバナ８０を備える。
【００３０】
電子式ガバナ８０は、スロットル弁９２の開度を検出するスロットル開度センサ８５、エンジン１４の回転数を検出するエンジン回転センサ８６、スロットル弁９２を操作するスロットル弁用制御モータ８３、およびスロットル弁用制御モータ８３を制御する制御部８９を備える。
【００３１】
制御部８９はメインスイッチ６４、作業用クラッチ操作検出センサ６８、スロットル開度センサ８５、エンジン回転センサ８６の各信号を受けてエンジン１４を制御するものであり、例えばマイクロコンピュータが用いられる。
【００３２】
エンジン１４は、メインスイッチ６４をオンにした状態でリコイルスタータ８１のノブ８１ａを引張ることで始動するエンジンである。エンジン１４が始動することで、発電機８７で発生した交流電力を電源回路８８で直流に変換して制御部８９に伝える。
制御部８９は、エンジン回転センサ８６からの回転情報に基づいてモータ用ドライバ８４に制御信号を発することで、スロットル弁用制御モータ８３を電気的にオン・オフ制御する。
スロットル弁用制御モータ８３でスロットル弁９２を操作して、エンジン１４の回転数（エンジン回転数）を電気的に制御する。
【００３３】
すなわち、電子式ガバナ８０は、制御部８９の信号に基づいてスロットル弁用制御モータ８３でスロットル弁９２の開度を自動的に調整する構成である。
これにより、エンジン１４の回転数を目標回転数Ｎｔに保つことができる。
【００３４】
ここで、目標回転数Ｎｔとは、作業条件に適したエンジン回転数として予め設定されたものである。
【００３５】
作業用クラッチ操作検出センサ６８は、作業用クラッチレバー４１を操作することで、オン・オフ状態に切り替えられる。作業用クラッチ操作検出センサ６８から制御部８９に信号を発する。
この作業用クラッチレバー４１を矢印の如く操作することで、ブレーキ／クラッチ部２１をオンに切り替えてカッタ１５を回転する。
【００３６】
変速・走行レバー４２を矢印の如く操作することで、変速装置２５の変速斜板（図示せず）を傾けて後輪１３を駆動する。
【００３７】
図４は本発明に係る芝刈機の操作部の平面図であり、クラッチレバー４１は、左取付ブラケット３８に左脚部４４が揺動に取り付けられ、右取付ブラケット３９（図１参照）に右脚部４５（図２参照）が揺動に取り付けられ、左脚部４４の上端部および右脚部４５の上端部に水平バー４６が架け渡されている。
クラッチレバー４１は、左右の脚部４４，４５および水平バー４６で門型を形成し、先に説明したロックノブ４３を左脚部４４に備える（図２参照）。
【００３８】
ここで、クラッチレバー４１を前方に向けて揺動することで、図２に示すように、クラッチレバー４１がグリップ部３３に重なる。
具体的には、クラッチレバー４１の左脚部４４が左グリップ脚部３４に重なり、クラッチレバー４１の右脚部４５が右グリップ脚部３５に重なる。さらに、クラッチレバー４１の水平バー４６がグリップ水平バー３６に重なる。
【００３９】
走行・変速レバー４２は、左取付ブラケット３８に左水平ロッド５１が回動自在に取り付けられ、左水平ロッド５１の先端部から上方に向けて左脚部５２が立ち上げられ、右取付ブラケット３９（図１参照）に右水平ロッド５３（図２参照）が回動自在に取り付けられ、右水平ロッド５３の先端部から上方に向けて右脚部５４（図２参照）が立ち上げられ、左脚部５２の上端部および右脚部５４の上端部に水平部としての水平バー５５が架け渡されている。
走行・変速レバー４２は、左・右水平ロッド５１，５３、左・右脚部５２，５４および水平バー５５で門型を形成する。
【００４０】
ここで、走行・変速レバー４２を前方に向けて揺動することで、走行・変速レバー４２の水平バー５５がグリップ水平バー３６に重なる。
図中、４７はメインスイッチを取付けるスイッチブラケット、４８はブレーキ／クラッチ部２１（図１参照）と作業用クラッチレバー４１とを連結するブレーキ／クラッチ部用ケーブルである。
【００４１】
芝刈機（歩行型芝刈機）１０（図１参照）は、ハンドル１７が、平面視で先端部（グリップ部）３３を機体１１幅方向に略Ｕ字状に形成したものであり、操作レバー（走行・変速レバー）４２に、先端部３３の形状に沿わせた所定の長さの水平部（水平バー）５５を備えたものと言える。
【００４２】
ハンドル１７が、平面視で先端部（グリップ部）３３を機体１１幅方向に略Ｕ字状に形成したものであり、操作レバー（走行・変速レバー）４２に、先端部３３の形状に沿わせた所定の長さの水平部（水平バー）５５を備えることで、操作レバーの握り方の自由度を拡げることができる。この結果、芝刈機の操作性の向上を図ることができる。
【００４３】
図５は本発明に係る芝刈機の走行・変速レバー及び作業用クラッチレバーの機能説明図である。
走行・変速レバー（操作レバー）４２は、支点５９を中心としてスイング可能なレバーであり、許容レバー角としてのトータルスイング角度をＳとするときに、走行・変速レバー４２の初期スイング角をＳ１、走行・変速レバー４２の中間スイング角をＳ２、走行・変速レバー４２の最終スイング角をＳ３とする。
【００４４】
初期スイング角Ｓ１の範囲では、走行速度を０に設定した停止領域であり、中間スイング角Ｓ２の範囲では、走行速度を低速から高速まで調整（可変）できる速度調整領域であり、残りの許容レバー角としての最終スイング角Ｓ３の範囲では、緩衝部材４９（図４参照）の弾発作用で走行・変速レバー４２のスイングのみを許容し、走行速度を高速に維持できる高速領域である。
【００４５】
作業用クラッチレバー４１は、支点５９を中心としてブレーキ／クラッチ部２１をオフからオンに切換えるレバーであり、動作範囲Ａ１ではブレーキ／クラッチ部２１をオフ、動作範囲Ａ２では、ブレーキ／クラッチ部２１（図１参照）をオンに設定できる。
【００４６】
従って、歩行型芝刈機１０は、ロックノブ（ロックボタン）４３を押し、作業用クラッチレバー４１をハンドル１７側に倒し、ブレーキ／クラッチ部２１（図１参照）をオンに設定し、走行・変速レバー４２を停止領域から速度調整領域に移行し、作業を開始できる。さらに、作業にも慣れた状態では走行・変速レバー４２を速度調整領域から高速領域に移行して作業を集中して行うことができる。
【００４７】
すなわち、操作レバー（走行・変速レバー）４２は、初期状態では動力源（エンジン）１４へ動力を非伝達に設定し、操作レバー４２を所定の角度倒したときに動力源１４から後輪１３（図１参照）へ動力の伝達を開始し、この状態からさらに倒したときに徐々に走行速度を上げるものであるものと言える。
操作レバー（走行・変速レバー）４２は、初期状態では動力源（エンジン）１４の動力を非伝達に設定し、操作レバー４２を所定の角度倒したときに動力源１４の動力の伝達を開始し、この状態からさらに倒したときに徐々に走行速度を上げるようにすることで、機体１１を円滑に操作することができる。
【００４８】
また、操作レバー（走行・変速レバー）４２のスイングできる角度を許容レバー角（トータルスイング角度）Ｓとするときに、操作レバー４２は、許容レバー角Ｓの途中で走行速度を最大に設定するものであり、操作レバー４２に、残りの許容レバー角（最終スイング角）Ｓ３に遊びを持たす緩衝部材４９を備えたものと言える。
【００４９】
操作レバー（走行・変速レバー）４２のスイングできる角度を許容レバー角（トータルスイング角度）Ｓとするときに、操作レバー４２は、許容レバー角Ｓの途中で走行速度を最大に設定するものであり、操作レバー４２に、残りの許容レバー角（最終スイング角）Ｓ３に遊びを持たす緩衝部材４９を備えることで、機体１１の走行速度を最大で芝刈り作業を進めるときには、ハンドルと走行レバーとを一つにして握ることができる。この結果、芝刈機のさらなる操作性の向上を図ることができる。
【００５０】
図６は本発明に係る芝刈機の操作部の側面図であり、芝刈機（歩行型芝刈機）１０（図１参照）は、機体（ハウジング）１１に動力源（エンジン）１４を設け、機体１１から後方にハンドル１７を延出し、このハンドル１７の先端部に機体１１の走行を可能にする操作レバー（走行・変速レバー）４２をスイング自在に取付け、この操作レバー４２をハンドル１７側に倒したときに機体１１の走行を可能状態にする芝刈機において、操作レバー４２に、機体１１の走行速度を変化させる走行速度可変機能を付加したものと言える。
【００５１】
例えば、芝刈り作業中に機体の走行速度の調整を容易に行うことができるとすれば、芝刈機の操作性の改善を図ることができるので好ましいことである。
【００５２】
すなわち、操作レバー４２に、機体１１の走行速度を変化させる走行速度可変機能を付加することで、操作レバーで機体の走行速度を調整することができる。これにより、機体１１の走行を可能状態にする操作と、走行速度の調整を連続的に行うことができる。この結果、芝刈機１０の操作性の向上を図ることができる。
【００５３】
図７（ａ），（ｂ）は本発明に係る芝刈機のオペレーションの一例を示す開始段階の説明図である。
（ａ）において、メインスイッチをオンにしてエンジン１４（図１参照）を始動する。
なお、（ａ）は、作業開始前の作業用クラッチレバー４１及び走行・変速レバー４２の状態を示し、走行・変速レバー４２は、左取付ブラケット３８に左水平ロッド５１が回動自在に取り付けられ、左水平ロッド５１の先端部から上方に向けて左脚部５２が立ち上げられ、右取付ブラケット３９に右水平ロッド５３が回動自在に取り付けられ、右水平ロッド５３の先端部から上方に向けて右脚部５４が立ち上げられ、左脚部５２の上端部および右脚部５４の上端部に水平部としての水平バー５５が架け渡されているので、走行・変速レバー４２の握り方の自由度を拡げることができる。この結果、芝刈機の操作性の向上を図ることができる。
【００５４】
（ｂ）において、作業者は右手でハンドル１７（グリップ部３３）を握り、左手で作業用クラッチレバー４１の左脚部４４を握り、右手の親指でロックノブ４３を矢印ａ１の如く押しつつ、作業用クラッチレバー４１を矢印ａ２の如くハンドル１７（グリップ部３３）側に倒す。これにより、ブレーキ／クラッチ部２１（図１参照）をオフからオンにすることができる。
【００５５】
図８（ａ），（ｂ）は本発明に係る芝刈機のオペレーションの一例を示す最終段階の説明図である。
（ａ）において、左手で作業用クラッチレバー４１及びハンドル１７を握り、右手で走行・変速レバー４２を握り、この走行・変速レバー４２を矢印ａ３の如く回転させることで、機体１１（図１参照）の走行速度を調整しつつ芝刈り作業を進める。
【００５６】
（ｂ）において、両手でハンドル１７、作業用クラッチレバー４１及び走行・変速レバー４２を握り、走行速度を最大にして（高速にて）芝刈り作業を進める。
すなわち、機体１１（図１参照）の走行速度を最大で芝刈り作業を進めるときには、ハンドルと走行レバーとを一つにして握ることができる。この結果、芝刈機のさらなる操作性の向上を図ることができる。
【００５７】
尚、本発明に係る芝刈機は、図１及び図５に示すように、油圧無段変速装置（変速装置）２５により、走行停止及び走行速度可変を行った芝刈機１０であったが、これに限るものではなく、走行・変速レバー（操作レバー）４２を、走行クラッチで停止状態及び走行状態を切換える形式の芝刈機に採用してもよい。
【産業上の利用可能性】
【００５８】
本発明に係る芝刈機は、電子ガバナを備えるエンジンを作業の動力源とする歩行型芝刈機に採用するのに好適である。
【図面の簡単な説明】
【００５９】
【図１】本発明に係る芝刈機の側面図である。
【図２】本発明に係る芝刈機の平面図である。
【図３】本発明に係る歩行型芝刈機の模式的系統図である。
【図４】本発明に係る芝刈機の操作部の平面図である。
【図５】本発明に係る芝刈機の走行・変速レバー及び作業用クラッチレバーの機能説明図である。
【図６】本発明に係る芝刈機の操作部の側面図である。
【図７】本発明に係る芝刈機のオペレーションの一例を示す開始段階の説明図である。
【図８】本発明に係る芝刈機のオペレーションの一例を示す最終段階の説明図である。
【図９】従来の基本構成を説明する側面図である。
【図１０】従来の基本構成の要部を説明する斜視図である。
【符号の説明】
【００６０】
１０…芝刈機（歩行型芝刈機）、１１…機体（ハウジング）、１４…動力源（エンジン）、１７…ハンドル、３３…先端部（グリップ部）、４２…操作レバー（走行・変速レバー）、５５…水平部（水平バー）、Ｓ…許容レバー角（トータルスイング角度）。
【図１】
2007196850.tif 000003
【図２】
2007196850.tif 000004
【図３】
2007196850.tif 000005
【図４】
2007196850.tif 000006
【図５】
2007196850.tif 000007
【図６】
2007196850.tif 000008
【図７】
2007196850.tif 000009
【図８】
2007196850.tif 000010
【図９】
2007196850.tif 000011
【図１０】
2007196850.tif 000012